(57)【要約】【課題】スタイラスを，部品点数，スペースの増加を抑制しながら装置本体に収納すること。【解決手段】タッチパネル付き表示部と，外部機器との接続端子と，スタイラスを有する撮像装置において，接続端子は，プラグ挿入口の背面までプラグ挿入穴が貫通しており，スタイラスは，前記接続端子の背面を貫通して前記接続端子に収納される。【選択図】  図８(a)
2012123263.tif 000002
【特許請求の範囲】
【請求項１】
撮像レンズを備えるカメラ部と，前記カメラ部で撮像された映像を表示し，タッチパネルを操作することにより所定の入力を入力可能としたタッチパネル付き表示部と，外部機器との接続端子と，前記接続端子が実装された基板と，前記タッチパネルを操作するスタイラスと，を有する撮像装置において，前記接続端子は，プラグ挿入口の背面までプラグ挿入穴が貫通しており，前記スタイラスは，前記接続端子の背面を貫通して前記接続端子に収納される収納部を有することを特徴とする撮像装置。
【請求項２】
前記撮像装置は，前記接続端子の背面よりプラグ挿入方向に延在するホルダを有しており，前記ホルダには前記プラグ挿入穴と同一軸に穴が開いており，前記端子基板と，前記ホルダによって前記穴の周囲を囲む壁を構成することを特徴とする請求項１に記載の撮像装置。
【請求項３】
前記接続端子に，前記プラグと前記スタイラスの何れが挿入，または，両者が脱却されたかを判別する挿入判別手段を有し，前記挿入判別手段の判別結果に応じて，前記表示部の表示情報を切り替える表示情報切り替え手段を有することを特徴とする請求項１または請求項２に記載の撮像装置。
【請求項４】
前記撮像装置は，スピーカを有し，かつ，前記接続端子は音声信号出力可能な端子であって，前記接続端子は，前記プラグと前記スタイラスの何れが挿入，または，両者が脱却されたかを判別する挿入判別手段を有し，前記挿入判別手段の判別結果に応じて，前記スピーカの駆動有無を切り替えるスピーカ切り替え手段を有することを特徴とする請求項１乃至請求項３の何れか１項に記載の撮像装置。
【請求項５】
前記接続端子は，プラグの挿入を検出するプラグ挿入検出手段を有し，かつ，前記スタイラスの挿入を検出するスタイラス挿入検出手段を設け，前記挿入判別手段は，前記プラグ挿入検出手段と，前記スタイラス挿入検出手段の検出結果と，に応じて前記プラグと前記スタイラスの何れが挿入されたかを判別することを特徴とする請求項３または請求項４に記載の撮像装置。
【発明の詳細な説明】
【技術分野】
【０００１】
本発明は，タッチパネルを有するカムコーダや，デジタルスチルカメラ，携帯電話といった撮像装置に関するものである。
【背景技術】
【０００２】
近年，カムコーダ，デジタルスチルカメラ等の携帯機器において，小型化，多機能化を実現するため，撮像した映像を表示する表示部としてタッチパネル付きモニタが搭載されている。
【０００３】
タッチパネル付きモニタは，例えば映像再生時には再生，停止といった操作ボタンを表示し，操作者の指先による接触を検知することで，各々の操作ボタンの機能を実現する。
【０００４】
また，例えば撮影した映像に表題を記入する際にも，表示された文字列を指先にて選択することで，十字ボタンなどを用いる場合より，簡易に操作することが可能である。
【０００５】
しかしながら更なる装置の小型化，多機能化にともない，タッチパネル付きモニタの操作ボタンの操作が指先では困難な大きさとなってきている。このため，タッチパネル入力用のペン（スタイラス）を用いることが望まれており，装置本体にはスタイラスの収納構造を設けることが要求されている。特に小型の携帯機器においては，簡易な方法による脱着，及び，持ち運び時の紛失防止のため収納時のロックが望まれる。
【０００６】
このような要求に対し，例えば特許文献１に示すスタイラスの収納構造が提案されている。
【先行技術文献】
【特許文献】
【０００７】
【特許文献１】特許平６−３２４７８２号公報
【発明の概要】
【発明が解決しようとする課題】
【０００８】
特許文献１に示す従来技術は，図１４，１５，１６に示すように，伸縮自在に構成されたスタイラスのスライド柄２４をバネ２６の反発力によって押し出す方向に付勢し，装置本体１１のペン収納部１４にスタイラスを縮めながら係合することで，バネ２６の付勢力によって保持するものである。
【０００９】
しかしながら，上記従来の構成では，スタイラスをロックするために，バネ２６やスライド柄２４といったロック用部品を追加する必要があり装置のコストが高くなる。また，装置本体１１にもペン収納部１４を設ける必要があり，装置が大型化する。
【００１０】
また，近年の携帯機器には外部機器との接続端子が搭載されることが一般的である。  特に，撮像装置では，映像を出力するＡＶ出力端子，音声信号の入出力を行うイヤホン端子，マイク入力端子などが搭載されている。かかる端子類は使用される状況が限定されており，常に用いられるものではない。このため，該端子類に主用途以外の付加価値を与えることも望まれている。
【００１１】
本発明の目的はかかる問題点を解決する撮像装置を提案することである。
【課題を解決するための手段】
【００１２】
本発明の撮像装置は，撮像レンズを備えるレンズ部と，前記レンズ部で撮像された映像を表示し，タッチパネルを操作することにより所定の入力を入力可能としたタッチパネル付き表示部と，外部機器との接続端子と，前記接続端子が実装された端子基板と，前記タッチパネルを操作するスタイラスと，を有する撮像装置において，前記接続端子は，プラグ挿入口の背面までプラグ挿入穴が貫通しており，前記スタイラスは，前記接続端子の背面を貫通して前記接続端子に収納されることを特徴とする。
【００１３】
また，前記撮像装置は，前記接続端子の背面よりプラグ挿入方向に延在するホルダを有しており，前記ホルダには前記プラグ挿入穴と略同一軸に穴が開いており，前記端子基板と，前記ホルダによって前記穴の周囲を囲む壁を構成することを特徴とする。
【００１４】
また，前記接続端子に，前記プラグと前記スタイラスの何れが挿入，または，両者が脱却されたかを判別する挿入判別手段を有し，前記挿入判別手段の判別結果に応じて，前記表示部の表示情報を切り替える表示情報切り替え手段を有することを特徴とする。
【００１５】
また，前記撮像装置は，スピーカを有し，かつ，前記接続端子は音声信号出力可能な端子であって，前記接続端子は，前記プラグと前記スタイラスの何れが挿入，または，両者が脱却されたかを判別する挿入判別手段を有し，前記挿入判別手段の判別結果に応じて，前記スピーカの駆動有無を切り替えるスピーカ切り替え手段を有することを特徴とする。
【００１６】
前記接続端子は，プラグの挿入を検出するプラグ挿入検出手段を有し，かつ，前記スタイラスの収納時における前記スタイラスの先端が到達し，前記プラグが到達しない位置に，前記スタイラスの挿入を検出するスタイラス挿入検出手段を設け，前記挿入判別手段は，前記プラグ挿入検出手段と，前記スタイラス挿入検出手段の検出結果と，に応じて前記プラグと前記スタイラスの何れが挿入されたかを判別することを特徴とする。
【発明の効果】
【００１７】
以上説明したように，本発明によれば，従来技術よりも低コストで小型化が実現可能なスタイラスの収納構造を有した撮像装置の提供が可能となる。
【図面の簡単な説明】
【００１８】
【図１】本発明の第１の実施例における撮像装置の本発明にかかる部分のみを抜粋したブロック図
【図２】本発明の第１の実施例における撮像装置の外観を示す前方からみた斜視図
【図３】本発明の第１の実施例におけるカ撮像装置の外観を示す後方からみた斜視図
【図４】本発明の第１の実施例における撮像装置の内部の主な構成を示す図
【図５】本発明の第１の実施例における接続端子の構造を説明するための図
【図６】本発明の第１の実施例における端子ホルダを示す図
【図７】本発明の第１の実施例における端子ホルダを接続端子に取り付けた状態を示す図
【図８（ａ）】本発明の第１の実施例における接続端子の断面図
【図８（ｂ）】本発明の第１の実施例における接続端子の断面図
【図８（ｃ）】本発明の第１の実施例における接続端子の断面図
【図９】本発明の第１の実施例における動作フローを示す図
【図１０】本発明の第２の実施例における動作フローを示す図
【図１１】本発明の第３の実施例における撮像装置の本発明にかかる部分のみを抜粋したブロック図
【図１２】本発明の第３の実施例における動作フローを示す図
【図１３】本発明の表示部に表示されるアイコンを示す図
【図１４】従来技術によるスタイラスの構造を示す図
【図１５】従来技術による装置本体とスタイラスを示す図
【図１６】従来技術によるスタイラスの装置本体への収納動作を示す図
【発明を実施するための形態】
【００１９】
＜第１の実施形態＞
以下に，本発明の撮像装置の第１の実施例を示す。なお，本実施例においては，撮像装置としてカムコーダを挙げている。
【００２０】
図１は本実施例のカムコーダの本発明にかかる部分を抜粋したブロック図，図２はカムコーダの本発明にかかる部分のみの外観を示す前方からみた斜視図，図３は後方からみた斜視図であり，図２は表示部が閉じた状態を，図３は表示部が開いた状態を示す。
【００２１】
撮像装置１００の前面にはレンズ部１０１を備え，上面には電源スイッチ１０４と，撮影モードと再生モードを切り替えるモードダイアル１０５を，背面には撮影の開始と停止を操作するトリガースイッチ１１４を備えている。前方から見て右側には開閉可能なタッチパネル付き表示部１１１をそなえ，タッチパネル付き表示部１１１を開くと表示収納部１１９があり，表示収納部１１９には接続端子１０６を備えている。本実施例の接続端子１０６はテレビ等の映像機器との接続用の映像信号を出力する端子である。
【００２２】
図４に本発明の撮像装置１００の内部の主な構成を示す。レンズ部１０１の下に水平に端子基板１１５を備え，端子基板１１５上には水平に接続端子１０６が実装されている。
【００２３】
図５にあるように接続端子１０６は背面穴１０６ｂが開いており，端子の前面穴１０６ａと貫通している。
【００２４】
図６に端子ホルダ１１８を示す。端子ホルダ１１８にはコの字状の端子押さえ部１１８ａと，Ｕの字状に形成されたＵ字部１１８ｂと，ホルダ背面部１１８ｄと，ビス締めするためのビスボス部１１８ｃを備えている。
【００２５】
図７に該端子ホルダ１１８を取り付けた状態を示す。前記端子押さえ部１１８ａで接続端子１０６を覆い，図示しないビスにより端子基板１１５と端子ホルダ１１８を固定する。
【００２６】
図８に撮像装置１００の接続端子１０６における断面図を示す。図８（ａ）は接続端子１０６に何も挿入されていない状態，（ｂ）はスタイラス１１６が挿入されている状態，（ｃ）はプラグ１１７が挿入されている状態を示す。１０７は接続端子１０６へのプラグ１１７の挿入有無を検出するプラグ挿入検出手段である。本実施例では板バネ状のプラグ挿入検出手段１０７が，図８（ｃ）に示すように，プラグ１１７の挿入によって押圧され，接続端子１０６内の図示しない別の導通部と接触・または離間することによる，電気的導通の変化を検出することで構成されている。なお，プラグ挿入検出手段１０７の詳細な構成については公知のため説明は省略する。また，後述する本実施例でのフローでは，プラグ１１７が挿入された状態をＯＮとする。
【００２７】
１０８は，端子背面の穴部１０６ｂより挿入方向奥であって，スタイラス１１６が押圧可能な位置に配置されたスタイラス挿入検出手段である。なお，図中のスタイラス挿入検出手段は揺動型スイッチとしているが，例えばスタイラス１１６と干渉しない位置に配置し，非接触で被測定物の反射光を受光するフォトセンサなどを用いることも可能である。かかる場合，フォトセンサからのレーザ光を反射するために，スタイラス１１６のレーザ光が照射される箇所に金属膜を蒸着，または鏡面シールを貼ることで好適に検出可能である。
【００２８】
図８（ｂ）に示すように，スタイラス１１６の外形は接続端子１０６に挿入されるプラグ１１７と略同一径の円筒形状で形成されており，先端部はタッチパネルを操作するために略円錐形状となっている。これにより，操作者が把持した際の剛性感と，タッチパネルの微小領域の操作を両立している。なお，本実施例では図示したようにスタイラス１１６を略円筒形状のみで形成したが，例えば接続端子１０６との嵌合部より撮像装置１００の奥側では，より小径の円筒形状や四角柱といった別の形状で形成することも可能である。
【００２９】
また，スタイラス１１６の後側端部には凸部１１６ａが形成されている。凸部１１６ａは図示したように表示収納部１１９の凹部１１９ａと当接することで，スタイラス１１６の挿入方向における位置決めとなっている。
【００３０】
なお，図３からも明らかなように，本実施例では接続端子１０６を表示収納部１１９に配置している。このため，該凸部１１６ａをエラストマーやゴムといった柔らかい材質で形成することで，接続端子１０６からスタイラス１１６が浮いている場合に，タッチパネル付き表示部１１１が収納される際の衝突によるタッチパネル付き表示部１１１の傷つきを低減することが可能となる。
【００３１】
スタイラス１１６を接続端子１０６に挿入すると，先端部が端子背面の穴部１０６ｂを通過し，スタイラス挿入検出手段１０８を押圧しスイッチがＯＮに切り替わる。また，プラグ挿入検出手段１０８は，図示した様にスタイラス１１６に設けられた凹部１１６ｂによって付勢されない状態で維持される。
【００３２】
以上の構成により，本実施例ではプラグ１１７挿入時と，スタイラス１１６挿入時でことなる検出手段の出力が現れるため，図１に示す挿入判別手段１０９において各々の識別が可能である。
【００３３】
また，本実施例のスタイラス１１６は，プラグ１１７と同様に接続端子１０６に設けられた板バネ等の部材によって挿入後の保持力を発生することが可能である。かかる構成はプラグと端子では一般的な構成のため，詳細な説明は省略する。本実施例でも例えば図８（ｂ）に示したように，プラグ挿入検出手段１０７と，スタイラスの凹部１１６ｂの引っ掛りで保持力を発生することや，その他図示しない接続端子１０６に配された接点用の板バネなどを用いることも可能である。
【００３４】
また，端子ホルダ１１８のＵ字部１１８ｂ，ホルダ背面部１１８ｄによって，スタイラス１１６挿入時におけるその他撮像装置１００の本体内部の部品，ワイヤ等との接触を防止することが可能である。これは，スタイラス１１６の長さが長くなり，接続端子１０６の嵌合長に対する先端部のズレが大きくなる際に特に有効である。
【００３５】
なお，本実施例においては，端子背面の穴部１０６ｂと，端子ホルダ１１８のＵ字部１１８ｂと，ホルダ背面部１１８ｄと，端子基板１１５で覆われる空間が，本発明の請求項における収納部である。
【００３６】
次に図１と図９を用いて動作のフローについて詳述する。なお，該フローはＣＰＵ１０３にて処理されるものである。
【００３７】
電源スイッチ１０４を押すことで撮像装置１００に電源が投入され（Ｓ２０１）る。次に，スタイラス挿入検出手段１０８からの検出信号に基づいて，挿入判別手段１０９において，スタイラス挿入判別（Ｓ２０２）が行われる。スタイラス挿入判別（Ｓ２０２）がＯＮの場合，スタイラス１１６が接続端子１０６に収納されていると判断し，ＣＰＵ１０３からの指令に基づいて表示情報切り替え手段１１０によって，タッチパネル付き表示部１１１に表示する操作用表示アイコンを指先入力モードＯＮ（Ｓ２０３）に切り替える。
【００３８】
指先入力モードがＯＮの場合，例えばメニュー一覧やサムネイルなどでは，表示アイコンの大きさを指先入力が可能なように大型化して表示し，多数のメニューが有る場合などはスクロールすることで全アイコンを選択可能に構成する。これは，モードダイアル１０５によって選択された撮影/再生モードの双方ともに実行する。
【００３９】
また，撮影中に顔検出を行い，選択した顔の被写体にフォーカスを追尾させるフォーカス追尾機能では，顔検出を行う被写体の顔の大きさの下限値を指先で選択可能なサイズに切り替える。これは，モードダイアル１０５が撮影モードであった場合に実行する。
【００４０】
一方，スタイラス挿入判別（Ｓ２０２）がＯＦＦの場合，次に，プラグ挿入検出手段１０７の検出結果に基づいて，挿入判別手段１０９においてプラグ挿入判別（Ｓ２０４）が行われる。プラグ挿入判別（Ｓ２０４）がＯＮの場合，ＣＰＵ１０３からの指令に基づいて表示情報切り替え手段１１０によって，タッチパネル付き表示部１１１の表示を低消費電力モードＯＮ（Ｓ２０５）に切り替える。本実施例では映像出力用のプラグが挿入されていると判断される。再生モード時を例として低消費電力モードを具体的に説明する。まずタッチパネル付き表示部１１１には，図１３に示すように再生アイコン２００ａ，停止アイコン２００ｂ，早送りアイコン２００ｃ，といった一般的な再生動作用アイコンが表示される。そして，再生アイコンが選択されたことを検出したのち，表示情報切り替え手段１１０によって，タッチパネル付き表示部１１１に表示される映像をＯＦＦに切り替える。その後，タッチパネル付き表示部１１１のタッチパネル部に入力を検出した際や，再生映像が終了した際にタッチパネル付き表示部１１１に再度再生動作用アイコンを表示する。これにより，映像再生中の映像表示は外部モニタのみとなり，タッチパネル付き表示部１１１に表示するための消費電力の削減が実現される。なお，本状態においては，タッチパネル部の駆動のみを実施し，表示パネル部の駆動をＯＦＦにすることも可能である。このように構成すると，操作者は外部モニタを見ながら映像の表示されていないタッチパネル付き表示部１１１を操作することで，各種操作が可能である。なお，上記低消費電力モードは，撮影/再生，双方において利用することが可能である。
【００４１】
また，プラグ挿入判別（Ｓ２０４）にてＯＦＦが判別された場合，ＣＰＵ１０３からの指令に基づいて表示情報切り替え手段１１０によって，タッチパネル付き表示部１１１に表示する操作用表示アイコンを，スタイラス入力モードＯＮ（Ｓ２０６）に切り替える。
【００４２】
スタイラス入力モードがＯＮの場合，例えばメニュー一覧などの表示アイコンを小さく表示することで，表示画面内に多くの表示アイコンを表示することが可能となり，操作性の向上が実現される。また，フォーカス追尾機能の顔検出を行う被写体の大きさの下限値を，先述した指先で選択可能なサイズより小さい，スタイラスにて選択可能なサイズに切り替える。これにより，好適な撮影環境の提供が可能となる。これは，モードダイアル１０５によって選択された撮影/再生モードの双方ともに実行する。
【００４３】
上述した各モードにタッチパネル付き表示部１１１の表示を切り替えた後に，撮影，再生等の一般的なカムコーダの動作が実施される。
【００４４】
以上，詳述したように本発明によれば，接続端子を用いてスタイラスを収納可能に構成することで，スタイラス収納用の専用部品の低減が可能である。また，図８からも明らかなように，接続端子の嵌合部をスタイラスの収納に共用するために，スタイラス自身を単独で収納する場合と比較し占有領域の低減も実現可能である。また，スタイラスと接続端子に挿入されるプラグ各々を判別することで，好適な操作性の提供も可能である。
【００４５】
なお，本発明の効果は上述した実施例にのみ限定されるものではない。
【００４６】
例えば接続端子を表示収納部以外の場所に配置することも可能である。
【００４７】
また，例えば図９に示したフローの順番を変更することも可能である。
【００４８】
また，例えば図９に示したフローのうち，一部を削除することも可能である。
【００４９】
また，接続端子を映像信号接続用以外の端子を用いることも可能である。
【００５０】
＜第２の実施形態＞
以下に，本発明の撮像装置の第２の実施例を示す。なお，基本的な構成は第１の実施例と同様であり，同一部分の説明は省略する。
【００５１】
本実施例においては，電源スイッチ１０４をＯＦＦに操作する時に図１０に示すフローを実施する。なお，該フローはＣＰＵ１０３にて処理されるものである。
【００５２】
電源スイッチ１０４を押すことで撮像装置１００に電源が投入され（Ｓ２１１），通常の撮影や再生動作（Ｓ２１２）が実施される。その後，操作者が電源スイッチ１０４を再度押すことで，電源スイッチのＯＦＦ動作が検知（Ｓ２１３）される。次に，スタイラス挿入検出手段１０８からの検出信号に基づいて，挿入判別手段１０９において，スタイラス挿入判別（Ｓ２１４）が行われる。スタイラス挿入判別（Ｓ２１４）がＯＮの場合，スタイラス１１６が接続端子１０６に収納されているため，そのまま撮像装置１００の電源がＯＦＦになる。
【００５３】
一方，スタイラス挿入判別（Ｓ２１４）がＯＦＦの場合，スタイラス１１６が未収納状態であるため，タッチパネル付き表示部１１１に，「スタイラスを収納して下さい」といったスタイラス１１６が撮像装置１００に未収納であることを示す警告を表示（Ｓ２１５）する。その後，操作者がスタイラス１１６を接続端子１０６に収納することで，スタイラス挿入判別（Ｓ２１４）がＯＮになり，撮像装置１００の電源がＯＦＦになる。
【００５４】
かかる構成により，スタイラスの紛失を好適に防止することが可能である。
【００５５】
なお，本発明の効果は上述した実施例にのみ限定されるものではない。
【００５６】
例えば警告表示（Ｓ２１５）後，スタイラス挿入判別（Ｓ２１４）に戻ることなく，一定時間の経過で撮像装置１００の電源をＯＦＦにすることも可能である。
【００５７】
＜第３の実施形態＞
以下に，本発明の撮像装置の第３の実施例を示す。なお，基本的な構成は第１の実施例と同様であり，同一部分の説明は省略する。
【００５８】
本実施例の接続端子１０６はテレビや外部スピーカ，ヘッドホンとの接続用の音声信号を出力する端子である。
【００５９】
図１１に本実施例のブロック図を，図１２に動作フローを示す。本実施例の撮像装置１００には，第１の実施例の構成に加え，音声出力用のスピーカ１１３が搭載されている。なお，該フローはＣＰＵ１０３にて処理されるものである。
【００６０】
電源スイッチ１０４を押すことで撮像装置１００に電源が投入され（Ｓ２２１）る。次に，モード判別（Ｓ２２２）において，モードダイアル１０５で選択されている撮影/再生モードの何れかが判別される。モード判別（Ｓ２２２）の判別結果が撮影モードであった場合，そのまま通常の撮影動作（Ｓ２２３）が実行される。
【００６１】
一方，モード判別（Ｓ２２２）の判別結果が再生モードであった場合，スタイラス挿入検出手段１０８からの検出信号に基づいて，挿入判別手段１０９において，スタイラス挿入判別（Ｓ２２４）が行われる。スタイラス挿入判別（Ｓ２２４）がＯＮの場合，スタイラス１１６が接続端子１０６に収納されているため，ＣＰＵ１０３からの指令に基づいて，スピーカ切り替え手段１１２によってスピーカ１１３をＯＮ（Ｓ２２５）に切り替える。これにより，再生動作が実行（Ｓ２２８）される際には，スピーカ１１３から音声が出力される。
【００６２】
また，スタイラス挿入判別（Ｓ２２４）がＯＦＦの場合は，次に，プラグ挿入検出手段１０７の検出結果に基づいて，挿入判別手段１０９においてプラグ挿入判別（Ｓ２２６）が行われる。プラグ挿入判別（Ｓ２２６）がＯＦＦの場合，スピーカ切り替え手段１１２によって，スピーカ１１３をＯＮ（Ｓ２２５）に切り替える。これにより，再生動作が実行（Ｓ２２８）される際には，スピーカ１１３から音声が出力される。
【００６３】
また，プラグ挿入判別（Ｓ２２６）においてＯＮが判別された場合，接続端子１０６に音声信号出力用のプラグが挿入されていると判断される。このため，スピーカ切り替え手段１１２によって，スピーカ１１３をＯＦＦ（Ｓ２２７）に切り替える。これにより，再生動作が実行（Ｓ２２８）される際には，スピーカ１１３の音声が出力されないため，撮像装置１００の消費電力の低減が実現される。また，操作者がスピーカ１１３をＯＦＦにするための操作を別途実行する必要がないため，好適な操作性の提供が可能となる。
【００６４】
なお，本発明の効果は上述した実施例にのみ限定されるものではない。
【００６５】
例えば接続端子１０６に接続されるプラグを映像・音声双方が出力可能なプラグとし，第１の実施例と第２の実施例，第３の実施例の全ての動作フローを用いることや，また，その一部を用いることも可能である。なお，かかるプラグが用いられる接続端子は，一般的なカムコーダではＡＶ OUT端子と呼称される。
【００６６】
また，カムコーダ等においては，上述したＡＶ OUT端子以外に，マイクといった音声入力用の外部機器と接続されるマイク端子が搭載される場合もある。ＡＶ OUT端子やマイク端子は同一形状の接続端子を利用することが一般的であるため，撮像装置１００には，該用途向けに２個同形状の接続端子を配置して用いる。かかる構成の撮像装置１００においては，スタイラス１１６はどちらの接続端子に収納可能なように構成することも可能である。また，一方の接続端子のみに収納可能に構成し，他方には図６に示したホルダ背面部１１８ｄを，図５に示す端子背面の穴部１０６ｂの間近に配置することで，誤挿入を防止することも可能である。
【００６７】
また，カムコーダ以外のデジタルスチルカメラや携帯電話など，その他タッチパネルを有した撮像装置に用いることも可能である。
【符号の説明】
【００６８】
１００  撮像装置
１０１  レンズ部
１０２  撮像素子
１０３  ＣＰＵ
１０４  電源スイッチ
１０５  モードダイアル
１０６  接続端子
１０７  プラグ挿入検出手段
１０８  スタイラス挿入検出手段
１０９  挿入判別手段
１１０  表示情報切り替え手段
１１１  タッチパネル付き表示部
１１２  スピーカ切り替え手段
１１３  スピーカ
１１４  トリガースイッチ
１１５  端子基板
１１６  スタイラス
１１７  プラグ
１１８  端子ホルダ
１１９  表示収納部
【図１】
2012123263.tif 000003
【図２】
2012123263.tif 000004
【図３】
2012123263.tif 000005
【図４】
2012123263.tif 000006
【図５】
2012123263.tif 000007
【図６】
2012123263.tif 000008
【図７】
2012123263.tif 000009
【図８（ａ）】
2012123263.tif 000010
【図８（ｂ）】
2012123263.tif 000011
【図８（ｃ）】
2012123263.tif 000012
【図９】
2012123263.tif 000013
【図１０】
2012123263.tif 000014
【図１１】
2012123263.tif 000015
【図１２】
2012123263.tif 000016
【図１３】
2012123263.tif 000017
【図１４】
2012123263.tif 000018
【図１５】
2012123263.tif 000019
【図１６】
2012123263.tif 000020